(57)【要約】    【課題】  設置場所の制約、構造の複雑化。    【構成】  所定場所に設置された商品陳列台２の商品陳列棚３上に載せる略水平の載置板部４と、該載置板部４の前側に起立させて設けた起立板部５と、該起立板部５の前側に所定の間隔をおいて設けた前側板部６とによりフェイスプレート１を構成し、前記前側板部６の裏面には前記載置板部４上に載置した商品に関する映像を映すモニタ１１を取付け、該モニタ１１は前側板部６に設けた窓孔部１３に臨ませた告知広告体。前記前側板部６の一方側に係合部１５を上下に並設し、前記前側板部６の他方側には取付部１７を設け、該取付部１７には、前記モニタ１１の一方側を係合部１５に係合させたまま前記モニタ１１の他方側を後側から押えるように取付ける固定具１６を、止着具１８により止着する。【選択図】    図１
2005160662.tif 000002
【特許請求の範囲】
【請求項１】
所定場所に設置された商品陳列台２の商品陳列棚３上に載せる略水平の載置板部４と、該載置板部４の前側に起立させて設けた起立板部５と、該起立板部５の前側に所定の間隔をおいて設けた前側板部６とによりフェイスプレート１を構成し、前記前側板部６の裏面には前記載置板部４上に載置した商品に関する映像を映すモニタ１１を取付け、該モニタ１１は前側板部６に設けた窓孔部１３に臨ませた告知広告体。
【請求項２】
請求項１において、前記前側板部６の一方側に係合部１５を上下に並設し、前記前側板部６の他方側には取付部１７を設け、該取付部１７には、前記モニタ１１の一方側を係合部１５に係合させたまま前記モニタ１１の他方側を後側から押えるように取付ける固定具１６を、止着具１８により止着するように構成した告知広告体。
【請求項３】
請求項１または請求項２において、前記モニタ１１を取付けた前側板部６は、該前側板部６の屈曲部１９を起立板部５の上部に取付部材２０により横軸回動自在であって、所望の角度位置にて回動状態を保持するように取付けた告知広告体。
【請求項４】
請求項１または請求項２または請求項３において、前記モニタ１１を設けたフェイスプレート１をモニタ部１０とし、該モニタ部１０の側部には、前側板部６に見本３１を展示して見本展示部３０としたフェイスプレート１を設けた告知広告体。
【請求項５】
請求項４において、前記見本展示部３０はモニタ部１０とは別体に形成すると共に、モニタ部１０に設けたワイヤ部材３２と摺動部材３３により相対的に摺動自在に構成した告知広告体。
【請求項６】
請求項１または請求項２または請求項３または請求項４または請求項５において、前記モニタ部１０としたフェイスプレート１の側部には、前側板部６に、試供用具試供用具４０を載置する試供用具載置部４１を形成して試供部４２としたフェイスプレート１を設けた告知広告体。
【発明の詳細な説明】
【技術分野】
【０００１】
本発明は、商品を展示する商品陳列棚に設けるフェイスプレートに関するものであり、特に、モニタを設けたフェイスプレートや、見本展示部や試供用具を隣接して、一体感を持った商品群として陳列した商品をアピールするフェイスプレートで構成する告知広告体に係るものである。
【背景技術】
【０００２】
従来、商品陳列棚の上方に広告表示した表示体を吊設した構成は公知である（特許文献１参照）。
また、従来商品陳列棚の前面に広告表示した表示体を吊設した構成は公知である（特許文献２参照）。
また、従来、モニタを内蔵したケースに商品陳列棚に固定する取付固定具を設けた構成は公知である（特許文献３参照）。
【特許文献１】特開平９−８１０４４号公報
【特許文献２】特開平９−７３２７０号公報
【特許文献３】特開平７−１３４５５５号公報
【発明の開示】
【発明が解決しようとする課題】
【０００３】
前記特開平９−８１０４４号公報に記載されたものは、商品陳列棚の上方に表示体を設けているため、最上段の商品陳列棚以外では目立たず広告効果が低いという課題がある。
特開平９−７３２７０号公報に記載されたものは、商品陳列棚の前面寄り下方に吊設しているので、下の段の商品陳列棚に商品を搬入するのが面倒になるという課題がある。
特開平７−１３４５５５号公報に記載されたものは、モニタをケースに内蔵し、このケースを取付固定具により商品陳列棚に固定するので、構造が複雑であるという課題がある。また、取付固定具は逆Ｕ型形状に形成して陳列棚の前側に上方から引っ掛ける構成のためケースに下から力が加わると、取付固定具と商品陳列棚との取付部分が外れてケースが落下する惧れがあるという課題がある。
本願は、商品陳列棚に載置するフェイスプレートにモニタを設けることで、簡素な構成としつつ、落下を防止したものである。
【課題を解決するための手段】
【０００４】
本発明は、所定場所に設置された商品陳列台２の商品陳列棚３上に載せる略水平の載置板部４と、該載置板部４の前側に起立させて設けた起立板部５と、該起立板部５の前側に所定の間隔をおいて設けた前側板部６とによりフェイスプレート１を構成し、前記前側板部６の裏面には前記載置板部４上に載置した商品に関する映像を映すモニタ１１を取付け、該モニタ１１は前側板部６に設けた窓孔部１３に臨ませた告知広告体としたものである。
本発明は、前記前側板部６の一方側に係合部１５を上下に並設し、前記前側板部６の他方側には取付部１７を設け、該取付部１７には、前記モニタ１１の一方側を係合部１５に係合させたまま前記モニタ１１の他方側を後側から押えるように取付ける固定具１６を、止着具１８により止着するように構成した告知広告体としたものである。
本発明は、前記モニタ１１を取付けた前側板部６は、該前側板部６の屈曲部１９を起立板部５の上部に取付部材２０により横軸回動自在であって、所望の角度位置にて回動状態を保持するように取付けた告知広告体としたものである。
本発明は、前記モニタ１１を設けたフェイスプレート１をモニタ部１０とし、該モニタ部１０の側部には、前側板部６に見本３１を展示して見本展示部３０としたフェイスプレート１を設けた告知広告体としたものである。
本発明は、前記見本展示部３０はモニタ部１０とは別体に形成すると共に、モニタ部１０に設けたワイヤ部材３２と摺動部材３３により相対的に摺動自在に構成した告知広告体としたものである。
本発明は、前記モニタ部１０としたフェイスプレート１の側部には、前側板部６に、試供用具試供用具４０を載置する試供用具載置部４１を形成して試供部４２としたフェイスプレート１を設けた告知広告体としたものである。
【発明の効果】
【０００５】
請求項１の発明では、前側板部６の裏面にモニタ１１を設けて構成を簡素にし、また、載置板部４を商品陳列棚３に載置すれば取付が完了し、載置板部４の上面に商品を載せるので、落下する等の事故を回避できる。
請求項２の発明では、モニタ１１を前側板部６に簡単に装着でき、万一モニタ１１が故障してもモニタ１１のみ交換すればよい。
請求項３の発明では、モニタ１１の設置角度を変更できるので、何れの高さの商品陳列棚３に設置しても鮮明な映像を見ることができる。
請求項４の発明では、映像情報の他に見本３１から実物に近い情報を提供できる。
請求項５の発明では、商品陳列棚３の大きさに合わせて単独フェイスプレート１ａを設置でき、汎用性の高い告知広告体を提供できる。
請求項６の発明では、試供用具４０により使用間隔を体感する体感情報を提供できる。
【実施例１】
【０００６】
本発明の実施例を図により説明すると、１は、店内に設置されている商品陳列台２の商品陳列棚３上（図３）に載置するフェイスプレートであり、前記商品陳列棚３上に載置する略水平の載置板部４の前側に起立する起立板部５を形成し、起立板部５の上部より前側に前側板部６を設けて構成している。
フェイスプレート１は載置板部４を商品陳列棚３上に載置し、商品陳列台２の商品陳列棚３の前側に起立する棚前板７に起立板部５を当接させて、商品陳列棚３にフェイスプレート１を載置し、フェイスプレート１は前記商品陳列棚３上に載置されている商品名等を表示した商品の顔として作用する告知広告体を構成する。
【０００７】
しかして、前記フェイスプレート１は、前側板部６を種々の用途に合わせて種々の形状のものに形成する。１０は前側板部６に映像情報を提供するモニタ（例えば、液晶テレビ等）１１を設けてフェイスプレート１を構成した告知広告体のモニタ部である。モニタ部１０の前側板部６には静止画像用又はテレビ画像を表示する前記モニタ１１の画面部１２の大きさに合わせた窓孔部１３を形成し、窓孔部１３に臨ませてモニタ１１を前側板部６に取付ける。
【０００８】
実施例では、前側板部６の一方側にモニタ１１の側面を係合させる係合部１５を上下に並設し、前側板部６の他方側に係合部１５に係合させたモニタ１１を固定する固定具１６を取付ける取付部１７を設ける。１８は固定具１６を取付部１７に固定する螺子（ボルト）等の止着具である。
したがって、固定具１６を外すと、モニタ１１は前側板部６に対して着脱できる。
【０００９】
モニタ部１０の前側板部６の上部は後側に屈曲させて屈曲部１９に形成し、屈曲部１９は起立板部５に蝶番等の取付部材２０を介して横軸回動自在に取付ける。取付部材２０は公知のもので、回動させる際に所定の抵抗を発生させて、所望位置で前側板部６の回動を停止させると、起立板部５に対して前側板部６と共にモニタ１１をその角度位置にて保持するように構成している。
【００１０】
モニタ１１は、フェイスプレート１に陳列した商品の使用方法・使用時期等を映像により表示して、消費者の購買意欲を刺激するように、宣伝広告を告知する。
また、前記モニタ部１０の前面には、商品名等の広告内容を表示した広告表示２１を表示する。
【００１１】
しかして、３０は前側板部６に見本３１を設けてフェイスプレート１を構成した告知広告体の見本展示部であり、実施例ではヘアカラーと呼ばれる毛染め剤を陳列商品とし、各毛染め剤により染めた毛髪の色見本として見本３１を複数取付けている。
この場合、見本展示部３０に構成したフェイスプレート１は隣接するモニタ部１０に構成したフェイスプレート１とは分割形成し、幅方向にスライド自在にすると、フェイスプレート１の使用態様の汎用性を広げられて好適である。
【００１２】
実施例では、モニタ部１０としたフェイスプレート１にスライド案内用のワイヤ部材３２を設け、このワイヤ部材３２に摺動部材３３を摺動自在に取付け、摺動部材３３に見本展示部３０の前側板部６および起立板部５を固定する。このようにすることで、別途用意した単独フェイスプレート１ａを、モニタ部１０としたフェイスプレート１と、見本展示部３０としたフェイスプレート１との間に載置（設置）し、一体感を持った商品群として、商品を陳列してアピールする。
【００１３】
また、図５、図６は、別途用意した単独フェイスプレート１ａを取付ける他の実施例を示したものであり、見本展示部３０の起立板部５の前面に上下一対の係合具３５を設けて摺動溝３６を形成し、該摺動溝３６に板形状の摺動部材３７を長さ方向に摺動自在に係合させる。一方、単独フェイスプレート１ａの起立板部５の前面に係合具３８を設け、該係合具係合具３８を見本展示部３０より側方に引き出した摺動部材摺動部材３７に上方から嵌合させて係合させると、単独フェイスプレート１ａの装着が完了する。
【００１４】
しかして、前記モニタ部１０としたフェイスプレート１の側部には、前側板部６に、試供用具４０を載置する試供用具載置部４１を形成して試供部４２としたフェイスプレート１を設ける。
実施例の試供用具載置部４１は充填した商品の毛染め剤を滲出させて毛髪に塗る器具により構成し、モニタ部１０のモニタ１１の映像を見ながら、試供用具載置部４１の試供用具４０を手に取って使用方法を試すことができ、消費者の購買意欲を刺激でき、広告効果を向上させられる。
【００１５】
したがって、見本展示部３０に構成したフェイスプレート１および試供用具載置部４１に構成したフェイスプレート１は、商品名等を表示した商品の顔と、試用とを両立させた試用併合告知広告体となる。
【００１６】
しかして、見本展示部３０の前側板部６にはスピーカ５０を設ける。スピーカ５０は取付用ボックス５１に振動板（エキサイタ）５２およびアンプ基盤５３等を取付け、この取付用ボックス５１を見本展示部３０の前側板部６に取付けることにより見本展示部３０の前側板部６自体を振動させてスピーカとして作用させることができ、見本展示部３０の前側板部６の裏側のスぺースを有効利用できる。
【００１７】
次に実施例の作用を述べる。
店内に設置されている商品陳列台の商品陳列棚３上に、フェイスプレート１の載置板部４を載せ、画面部１２の起立板部５を商品陳列棚３の棚前板７に当接させると、セット完了となる。
次に、載置板部４上に所望の商品を並べ、モニタ部１０のモニタ１１に当該商品に関する映像を映し出すようにする。
【００１８】
したがって、消費者（購買者）は、モニタ部１０の前側板部６の窓孔部１３内にあるモニタ１１の映像により当該商品に関する情報を知ることができ、一々店員に説明を求める煩雑さを解消して、宣伝公告効果を発揮し、購買意欲を刺激できる。
【００１９】
この場合、モニタ部１０の前側板部６は、取付部材２０により起立板部５に対して横軸回動自在であり、前側板部６は取付部材２０により所望角度にて保持されるから、上下に並設した商品陳列棚３の何れにフェイスプレート１を載置しても、モニタ部１０のモニタ１１を反射の影響の少ない見やすい角度にでき、モニタ１１の視認性を良好にして、設置場所の制約を減少させられる。
【００２０】
また、モニタ１１は前側板部６の一方側の係合部１５と前側板部６の間に挿入し、この状態で、前側板部６の他方側の取付部１７に固定具１６を止着具１８により止着すると、モニタ１１は簡単に前側板部６に装着できる。
【００２１】
したがって、固定具１６を外すと、モニタ１１は前側板部６に対して着脱でき、万一、モニタ１１が故障したときにも、モニタ１１を交換すればよいので、陳列した商品の宣伝に影響は生じない。
【００２２】
しかして、モニタ部１０としたフェイスプレート１の側部には、前側板部６に見本見本３１を展示した見本展示部３０としたフェイスプレート１を設けているから、モニタ部１０の映像情報に加えて見本３１からの情報を加味して商品選択が可能となり、一層、消費者の購買意欲を刺激できる。
【００２３】
即ち、毛染め剤のように、同一商品でありながら複数の種類を有する商品では、単に使用目的のみによって商品選択するのは難しく、使用方法や使用結果等の詳細な情報の存在が商品選択を容易にし、これが購買意欲を刺激するので、本願のように、モニタ部１０のモニタ１１による映像情報に加えて、見本３１を近傍に設置することで、複数種類の商品を並列させて陳列するスペースを見本３１により確保すると共に、見本３１の前側板部６を有効に利用できる。
【００２４】
しかして、見本展示部３０としたフェイスプレート１は隣接するモニタ部１０としたフェイスプレート１に対して、載置板部４および起立板部５および前側板部６の全ての部分において分割して分割形成し、幅方向にスライド自在にしているから、見本展示部３０とモニタ部１０の間に単独フェイスプレート１ａを一つまたは複数設置でき、この単独フェイスプレート１ａの載置板部４に載置した商品も同一メーカーの商品と簡単に認知させることができる。したがって、商品の種類や商品陳列棚３のスペース等のあらゆる条件に応じたフェイスプレート１の使用態様の汎用性を広げられる。
【００２５】
実施例では、モニタ部１０としたフェイスプレート１にスライド案内用のワイヤ部材ワイヤ部材３２を設け、このワイヤ部材３２に摺動部材３３を摺動自在に取付け、摺動部材３３に見本展示部３０の前側板部６および起立板部５を固定しているから、摺動部材３３と共に見本展示部３０のフェイスプレート１をワイヤ部材３２に対してスライドさせる。
【００２６】
しかして、モニタ部１０としたフェイスプレート１の側部には、前側板部６を、試供用具４０を載置する試供用具載置部４１に形成したフェイスプレート１を設けているから、毛染め剤のように、試供用具４０を使用する商品にあっては、試供用具４０の使用感も重要な商品選択情報となり、これを試供用具載置部４１により提供できる。
【００２７】
即ち、モニタ１１により試供用具４０の使用方法の映像を見ながら、試供用具４０を実際に手に取った体感情報が得られるので、好適である。
【００２８】
しかして、見本展示部３０の前側板部６にはスピーカ５０を設ける。スピーカ５０は取付用ボックス５１に振動板（エキサイタ）５２およびアンプ基盤５３等を取付け、この取付用ボックス５１を見本展示部３０の前側板部６に取付けて構成しているから、見本展示部３０の前側板部６自体を振動させてスピーカとして作用させることができ、見本展示部３０の前側板部６の裏側のスぺースを有効利用できる。
【図面の簡単な説明】
【００２９】
【図１】告知広告体の斜視図。
【図２】モニタ部の背面斜視図。
【図３】同側面図。
【図４】単独フェイスプレートの設置状態斜視図。
【図５】同他の実施例の斜視図。
【図６】同他の実施例の側面図。
【図７】見本展示部をスピーカとする実施例の斜視図。
【符号の説明】
【００３０】
１…フェイスプレート、３…商品陳列棚、４…載置板部、５…起立板部、６…前側板部、７…棚前板、１０…モニタ部、１１…モニタ、１２…画面部、１３…窓孔部、１５…係合部、１６…固定具、１７…取付部、１８…止着具、１９…屈曲部、２０…取付部材、２１…広告表示、３０…見本展示部、３１…見本、３２…ワイヤ部材、３３…摺動部材、３５…係合具、３６…摺動溝、３７…摺動部材、３８…係合具、４０…試供用具、４１…試供用具載置部、４２…試供部、５０…スピーカ、５１…取付用ボックス、５２…振動板、５３…アンプ基盤。
【図１】
2005160662.tif 000003
【図２】
2005160662.tif 000004
【図３】
2005160662.tif 000005
【図４】
2005160662.tif 000006
【図５】
2005160662.tif 000007
【図６】
2005160662.tif 000008
【図７】
2005160662.tif 000009